(57)【要約】【課題】移動局装置が効率的にハンドオーバプロシージャを行なうこと。【解決手段】基地局装置は、ターゲットプライマリーセルのエンハンストコモンサーチスペースのリソースに関する情報を含むハンドオーバメッセージを、移動局装置に送信する。移動局装置は、前記情報に基づいて、エンハンストコモンサーチスペースでエンハンスト物理下りリンクチャネルをモニタする。【選択図】図９
2013239865.tif 000002
【特許請求の範囲】
【請求項１】
移動局装置と通信する基地局装置において、
ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信する
ことを特徴とする基地局装置。
【請求項２】
前記後方互換性コンポーネントキャリアは、物理下りリンク制御チャネルのみ、または物理下りリンク制御チャネルとエンハンスト物理下りリンク制御チャネルの両方が配置され、
前記非後方互換性コンポーネントキャリアは、前記物理下りリンク制御チャネルが配置されず、エンハンスト物理下りリンク制御チャネルが配置される
請求項１に記載の基地局装置。
【請求項３】
移動局装置と通信する基地局装置において、
ターゲットプライマリーセルのエンハンストコモンサーチスペースのリソースに関する情報を含むハンドオーバメッセージを、前記移動局装置に送信する
ことを特徴とする基地局装置。
【請求項４】
前記エンハンストコモンサーチスペースは、エンハンスト物理下りリンク制御チャネルの送信に用いることができるリソースのセットであり、複数の前記移動局装置に対して共通のリソースによって定義される
請求項３に記載の基地局装置。
【請求項５】
前記情報は、前記エンハンストコモンサーチスペースを構成する物理リソースブロックを特定するために用いられる情報を含む
請求項３または請求項４に記載の基地局装置。
【請求項６】
前記情報は、前記ターゲットプライマリーセルのサブフレーム内において前記エンハンストコモンサーチスペースを構成するＯＦＤＭシンボルを特定するために用いられる情報を含む
請求項３または請求項４に記載の基地局装置。
【請求項７】
基地局装置と通信する移動局装置において、
ターゲットプライマリーセルの下りリンクコンポーネントキャリアが後方互換性コンポーネントキャリアであるか非後方互換性コンポーネントキャリアであるかを指示する情報を含むハンドオーバメッセージを、前記基地局装置から受信する
ことを特徴とする移動局装置。
【請求項８】
前記後方互換性コンポーネントキャリアは、物理下りリンク制御チャネルのみ、または物理下りリンク制御チャネルとエンハンスト物理下りリンク制御チャネルの両方が配置され、
前記非後方互換性コンポーネントキャリアは、前記物理下りリンク制御チャネルが配置されず、エンハンスト物理下りリンク制御チャネルが配置される
請求項７に記載の移動局装置。
【請求項９】
前記移動局装置は、
前記情報によって、前記ターゲットプライマリーセルの下りリンクコンポーネントキャリアが後方互換性コンポーネントキャリアであると指示された場合、ターゲットプライマリーセルのコモンサーチスペースを用いてハンドオーバプロシージャを行い、
前記情報によって、前記ターゲットプライマリーセルの下りリンクコンポーネントキャリアが非後方互換性コンポーネントキャリアであると指示された場合、ターゲットプライマリーセルのエンハンストコモンサーチスペースを用いてハンドオーバプロシージャを行う
請求項７または請求項８に記載の移動局装置。
【請求項１０】
前記コモンサーチスペースは、前記物理下りリンク制御チャネルの送信に用いることができるリソースのセットであり、複数の前記移動局装置に対して共通のリソースによって定義され、
前記エンハンストコモンサーチスペースは、前記エンハンスト物理下りリンク制御チャネルの送信に用いることができるリソースのセットであり、複数の前記移動局装置に対して共通のリソースによって定義される
請求項９に記載の移動局装置。
【請求項１１】
基地局装置と通信する移動局装置において、
ターゲットプライマリーセルのエンハンストコモンサーチスペースのリソースに関する情報を含むハンドオーバメッセージを、前記基地局装置から受信する
ことを特徴とする移動局装置。
【請求項１２】
前記エンハンストコモンサーチスペースは、エンハンスト物理下りリンク制御チャネルの送信に用いることができるリソースのセットであり、複数の前記移動局装置に対して共通のリソースによって定義される
請求項１１に記載の移動局装置。
【請求項１３】
前記情報は、前記エンハンストコモンサーチスペースを構成する物理リソースブロックを特定するために用いられる情報を含む
請求項１１または請求項１２に記載の移動局装置。
【請求項１４】
前記情報は、前記ターゲットプライマリーセルのサブフレーム内において前記エンハンストコモンサーチスペースを構成するＯＦＤＭシンボルを特定するために用いられる情報を含む
請求項１１または請求項１２に記載の移動局装置。
【請求項１５】
移動局装置と通信する基地局装置に用いられる無線通信方法において、
ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信する
ことを特徴とする無線通信方法。
【請求項１６】
移動局装置と通信する基地局装置に用いられる無線通信方法において、
ターゲットプライマリーセルのエンハンストコモンサーチスペースのリソースに関する情報を含むハンドオーバメッセージを、前記移動局装置に送信する
ことを特徴とする無線通信方法。
【請求項１７】
基地局装置と通信する移動局装置に用いられる無線通信方法において、
ターゲットプライマリーセルの下りリンクコンポーネントキャリアが後方互換性コンポーネントキャリアであるか非後方互換性コンポーネントキャリアであるかを指示する情報を含むハンドオーバメッセージを、前記基地局装置から受信する
ことを特徴とする無線通信方法。
【請求項１８】
基地局装置と通信する移動局装置に用いられる無線通信方法において、
ターゲットプライマリーセルのエンハンストコモンサーチスペースのリソースに関する情報を含むハンドオーバメッセージを、前記基地局装置から受信する
ことを特徴とする無線通信方法。
【請求項１９】
移動局装置と基地局装置が通信する無線通信システムにおいて、
前記基地局装置は、
ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信し、
前記移動局装置は、
前記ハンドオーバメッセージを、前記基地局装置から受信する
ことを特徴とする無線通信システム。
【請求項２０】
移動局装置と基地局装置が通信する無線通信システムにおいて、
前記基地局装置は、
ターゲットプライマリーセルのエンハンストコモンサーチスペースのリソースに関する情報を含むハンドオーバメッセージを、前記移動局装置に送信し、
前記移動局装置は、
前記ハンドオーバメッセージを、前記基地局装置から受信する  
ことを特徴とする無線通信システム。
【請求項２１】
移動局装置と通信する基地局装置に実装される集積回路において、
ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信する機能を、前記基地局装置に発揮させる
ことを特徴とする集積回路。
【請求項２２】
移動局装置と通信する基地局装置に実装される集積回路において、
ターゲットプライマリーセルのエンハンストコモンサーチスペースのリソースに関する情報を含むハンドオーバメッセージを、前記移動局装置に送信する機能を、前記基地局装置に発揮させる
ことを特徴とする集積回路。
【請求項２３】
基地局装置と通信する移動局装置に実装される集積回路において、
ターゲットプライマリーセルの下りリンクコンポーネントキャリアが後方互換性コンポーネントキャリアであるか非後方互換性コンポーネントキャリアであるかを指示する情報を含むハンドオーバメッセージを、前記基地局装置から受信する機能を、前記基地局装置に発揮させる
ことを特徴とする集積回路。
【請求項２４】
基地局装置と通信する移動局装置に実装される集積回路において、
ターゲットプライマリーセルのエンハンストコモンサーチスペースのリソースに関する情報を含むハンドオーバメッセージを、前記基地局装置から受信する機能を、前記基地局装置に発揮させる
ことを特徴とする集積回路。
【発明の詳細な説明】
【技術分野】
【０００１】
本発明は、基地局装置、移動局装置、無線通信方法、無線通信システムおよび集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置をＵＥ（User Equipment）とも呼称する。ＬＴＥは、基地局装置がカバーするエリアをセル状に複数配置するセルラー通信システムである。
【０００３】
ＬＴＥにおいて、基地局装置は、セルの中央の７２サブキャリアを用いて同期信号（Synchronization signal: SS）と物理報知チャネル（Physical Broadcast Channel: PBCH）とを送信する。ＬＴＥにおいて、移動局装置は、同期信号を用いてセルサーチを行ない、時間のタイミング、周波数のタイミングおよび物理レイヤーセル識別子（Physical-layer Cell Identity: PCI）を取得する。ＬＴＥにおいて、移動局装置は、セルサーチの後に、物理報知チャネルを用いてマスターインフォメーションブロックを取得する。マスターインフォメーションブロックはシステム情報である。また、マスターインフォメーションブロックは、セルの下りリンク帯域幅を示す情報およびシステムフレームの番号（System Frame Number: SFN）を示す情報などを含む。システムフレームを無線フレームとも称する。
【０００４】
ＬＴＥにおいて、移動局装置は、ＰＢＣＨを受信した後に、物理下りリンク共用チャネル（Physical Downlink Shared Channel: PDSCH）を用いて複数のシステムインフォメーションブロックを取得する。システムインフォメーションブロックはシステム情報である。また、システムインフォメーションブロックは、複数の移動局装置に対して共通である無線リソース設定情報が含まれる。基地局装置は、単一のシステムインフォメーションブロックを単一のＰＤＣＣＨを用いて送信する。
【０００５】
ＬＴＥにおいて、基地局装置は、セルの下りリンクの帯域のうちの一部をＰＤＳＣＨに割り当てる。また、ＬＴＥにおいて、基地局装置は、単一のＰＤＳＣＨのスケジューリングに用いられる下りリンク制御情報（Downlink Control Information: DCI）を単一の物理下りリンク制御チャネル（Physical Downlink Control Channel: PDCCH）を用いて送信する。コモンサーチスペースは、全ての移動局装置に対して共通であるＰＤＣＣＨの送信に用いられる。全ての移動局装置は、コモンサーチスペースにおいてＰＤＣＣＨを監視（monitor）する。
【０００６】
ＬＴＥにおいて、同一のチャネル構造のセル（コンポーネントキャリア）を複数用いて、移動局装置と基地局装置が通信をする技術（セル集約: cell aggregation、キャリア集約: carrier aggregationとも称される。）が用いられる。例えば、セル集約を用いた通信では、複数のセルを用いて、移動局装置と基地局装置とが複数の物理チャネルを同時に送受信することができる。例えば、移動局装置と基地局装置とが１つのセルにおいて初期コネクション確立を行なった後に、基地局装置が移動局装置との通信に用いるセルを追加することができる。また、例えば、移動局装置は、通信に用いる複数のセルを示す情報を含むハンドオーバコマンド（ハンドオーバメッセージ）を受信する。
【０００７】
３ＧＰＰでは、スペクトル効率（spectral efficiency）を向上させるために、非後方互換性コンポーネントキャリア（non-backward compatible component carrier）の導入について検討されている。基地局装置は、非後方互換性コンポーネントキャリアにおいて、ＰＤＣＣＨを送信しないことが検討されている（非特許文献１）。ＬＴＥで用いられる従来のコンポーネントキャリアを、後方互換性コンポーネントキャリアと呼称する。
【０００８】
また、３ＧＰＰでは、１つの基地局が収容できる端末の数を増加するために、下りリンク制御情報の送信のためにエンハンスト物理下りリンク制御チャネル（enhanced-Physical Downlink Control Channel: ePDCCH）を用いることが検討されている（非特許文献２）。ｅＰＤＣＣＨは、ＰＤＳＣＨ領域にマップされる。また、非後方互換性コンポーネントキャリアにおいて、下りリンク制御情報の送信のためにｅＰＤＣＣＨを用いることが検討されている。
【先行技術文献】
【非特許文献】
【０００９】
【非特許文献１】"Additional Carrier Type for Rel-11", R1-113186, 3GPP TSG-RAN WG1 Meeting #66bis, Zhuhai, China, 10th - 14th October 2011.
【非特許文献２】"Enhancements for UE specific control signaling", R1-111332, 3GPP TSG-RAN WG1 Meeting #65, Barcelona, Spain, 9th - 13th May 2011.
【発明の概要】
【発明が解決しようとする課題】
【００１０】
今後、スペクトル効率の向上のために多くの非後方互換性コンポーネントキャリアが導入されるべきである。非後方互換性コンポーネントキャリアにおいて、ｅＰＤＣＣＨの干渉を軽減することが重要である。また、後方互換性コンポーネントキャリアと非後方互換性コンポーネントキャリア間のハンドオーバを効率的に行なうことが重要である。
【００１１】
本発明は上記の点に鑑みてなされたものであり、その目的は、効率的にハンドオーバをすることができる基地局装置、移動局装置、無線通信方法、無線通信システムおよび集積回路を提供することを目的とする。
【課題を解決するための手段】
【００１２】
（１）上記の目的を達成するために、本発明は、以下のような手段を講じた。すなわち、本発明の基地局装置は、移動局装置と通信する基地局装置であって、ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信する。
【００１３】
（２）また、本発明は、上記の基地局装置において、前記後方互換性コンポーネントキャリアは、物理下りリンク制御チャネルのみ、または物理下りリンク制御チャネルとエンハンスト物理下りリンク制御チャネルの両方が配置される。また、本発明は、上記の基地局装置において、前記非後方互換性コンポーネントキャリアは、前記物理下りリンク制御チャネルが配置されず、エンハンスト物理下りリンク制御チャネルが配置される。
【００１４】
（３）また、本発明の基地局装置は、移動局装置と通信する基地局装置であって、ターゲットプライマリーセルのエンハンストコモンサーチスペースのリソースに関する情報を含むハンドオーバメッセージを、前記移動局装置に送信する。
【００１５】
（４）また、本発明は、上記の基地局装置において、前記エンハンストコモンサーチスペースは、エンハンスト物理下りリンク制御チャネルの送信に用いることができるリソースのセットであり、複数の前記移動局装置に対して共通のリソースによって定義される。
【００１６】
（５）また、本発明は、上記の基地局装置において、前記情報は、前記エンハンストコモンサーチスペースを構成する物理リソースブロックを特定するために用いられる情報を含む。
【００１７】
（６）また、本発明は、上記の基地局装置において、前記情報は、前記ターゲットプライマリーセルのサブフレーム内において前記エンハンストコモンサーチスペースを構成するＯＦＤＭシンボルを特定するために用いられる情報を含む。
【００１８】
（７）また、本発明の移動局装置は、基地局装置と通信する移動局装置であって、ターゲットプライマリーセルの下りリンクコンポーネントキャリアが後方互換性コンポーネントキャリアであるか非後方互換性コンポーネントキャリアであるかを指示する情報を含むハンドオーバメッセージを、前記基地局装置から受信する。
【００１９】
（８）また、本発明は、上記の移動局装置において、前記後方互換性コンポーネントキャリアは、物理下りリンク制御チャネルのみ、または物理下りリンク制御チャネルとエンハンスト物理下りリンク制御チャネルの両方が配置される。また、本発明は、上記の移動局装置において、前記非後方互換性コンポーネントキャリアは、前記物理下りリンク制御チャネルが配置されず、エンハンスト物理下りリンク制御チャネルが配置される。
【００２０】
（９）また、本発明は、上記の移動局装置において、前記情報によって、前記ターゲットプライマリーセルの下りリンクコンポーネントキャリアが後方互換性コンポーネントキャリアであると指示された場合、ターゲットプライマリーセルのコモンサーチスペースを用いてハンドオーバプロシージャを行う。また、本発明は、上記の移動局装置において、前記情報によって、前記ターゲットプライマリーセルの下りリンクコンポーネントキャリアが非後方互換性コンポーネントキャリアであると指示された場合、ターゲットプライマリーセルのエンハンストコモンサーチスペースを用いてハンドオーバプロシージャを行う。
【００２１】
（１０）また、本発明は、上記の移動局装置において、前記コモンサーチスペースは、前記物理下りリンク制御チャネルの送信に用いることができるリソースのセットであり、複数の前記移動局装置に対して共通のリソースによって定義される。また、本発明は、上記の移動局装置において、前記エンハンストコモンサーチスペースは、前記エンハンスト物理下りリンク制御チャネルの送信に用いることができるリソースのセットであり、複数の前記移動局装置に対して共通のリソースによって定義される。
【００２２】
（１１）また、本発明の移動局装置は、基地局装置と通信する移動局装置であって、ターゲットプライマリーセルのエンハンストコモンサーチスペースのリソースに関する情報を含むハンドオーバメッセージを、前記基地局装置から受信する。
【００２３】
（１２）また、本発明は、上記の移動局装置において、前記エンハンストコモンサーチスペースは、エンハンスト物理下りリンク制御チャネルの送信に用いることができるリソースのセットであり、複数の前記移動局装置に対して共通のリソースによって定義される。
【００２４】
（１３）また、本発明は、上記の移動局装置において、前記情報は、前記エンハンストコモンサーチスペースを構成する物理リソースブロックを特定するために用いられる情報を含む。
【００２５】
（１４）また、本発明は、上記の移動局装置において、前記情報は、前記ターゲットプライマリーセルのサブフレーム内において前記エンハンストコモンサーチスペースを構成するＯＦＤＭシンボルを特定するために用いられる情報を含む。
【００２６】
（１５）また、本発明の無線通信方法は、移動局装置と通信する基地局装置に用いられる無線通信方法であって、ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信する。
【００２７】
（１６）また、本発明の無線通信方法は、移動局装置と通信する基地局装置に用いられる無線通信方法であって、ターゲットプライマリーセルのエンハンストコモンサーチスペースのリソースに関する情報を含むハンドオーバメッセージを、前記移動局装置に送信する。
【００２８】
（１７）また、本発明の無線通信方法は、基地局装置と通信する移動局装置に用いられる無線通信方法であって、ターゲットプライマリーセルの下りリンクコンポーネントキャリアが後方互換性コンポーネントキャリアであるか非後方互換性コンポーネントキャリアであるかを指示する情報を含むハンドオーバメッセージを、前記基地局装置から受信する。
【００２９】
（１８）また、本発明の無線通信方法は、基地局装置と通信する移動局装置に用いられる無線通信方法であって、ターゲットプライマリーセルのエンハンストコモンサーチスペースのリソースに関する情報を含むハンドオーバメッセージを、前記基地局装置から受信する。
【００３０】
（１９）また、本発明の無線通信システムは、移動局装置と基地局装置が通信する無線通信システムであって、前記基地局装置は、ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信する。また、本発明は、上記の無線通信システムにおいて、前記移動局装置は、前記ハンドオーバメッセージを、前記基地局装置から受信する。
【００３１】
（２０）また、本発明の無線通信システムは、移動局装置と基地局装置が通信する無線通信システムであって、前記基地局装置は、ターゲットプライマリーセルのエンハンストコモンサーチスペースのリソースに関する情報を含むハンドオーバメッセージを、前記移動局装置に送信する。また、本発明は、上記の無線通信システムにおいて、前記移動局装置は、前記ハンドオーバメッセージを、前記基地局装置から受信する。
【００３２】
（２１）また、本発明の集積回路は、移動局装置と通信する基地局装置に実装される集積回路であって、ターゲットプライマリーセルの下りリンクコンポーネントキャリアが後方互換性コンポーネントキャリアであるか非後方互換性コンポーネントキャリアであるかを指示する情報を含むハンドオーバメッセージを、前記移動局装置に送信する機能を、前記基地局装置に発揮させる。
【００３３】
（２２）また、本発明の集積回路は、移動局装置と通信する基地局装置に実装される集積回路であって、ターゲットプライマリーセルのエンハンストコモンサーチスペースのリソースに関する情報を含むハンドオーバメッセージを、前記移動局装置に送信する機能を、前記基地局装置に発揮させる。
【００３４】
（２３）また、本発明の集積回路は、基地局装置と通信する移動局装置に実装される集積回路であって、ターゲットプライマリーセルの下りリンクコンポーネントキャリアが後方互換性コンポーネントキャリアであるか非後方互換性コンポーネントキャリアであるかを指示する情報を含むハンドオーバメッセージを、前記基地局装置から受信する機能を、前記基地局装置に発揮させる。
【００３５】
（２４）また、本発明の集積回路は、基地局装置と通信する移動局装置に実装される集積回路であって、ターゲットプライマリーセルのエンハンストコモンサーチスペースのリソースに関する情報を含むハンドオーバメッセージを、前記基地局装置から受信する機能を、前記基地局装置に発揮させる。
【発明の効果】
【００３６】
この発明によれば、後方互換性コンポーネントキャリアと非後方互換性コンポーネントキャリアの両方が混在するシステムにおいて、移動局装置が効率的にハンドオーバプロシージャを行なうことができる。
【図面の簡単な説明】
【００３７】
【図１】本実施形態の無線通信システムの概念図である。
【図２】本実施形態の無線フレームの概略構成を示す図である。
【図３】本実施形態の後方互換性コンポーネントキャリアにおける物理下りリンクチャネルのマッピングの一例を示す図である。
【図４】本実施形態の非後方互換性コンポーネントキャリアにおける物理下りリンクチャネルのマッピングの一例を示す図である。
【図５】本実施形態のサーチスペースの配置の一例を示す図である。
【図６】本実施形態のＰＤＣＣＨ候補およびｅＰＤＣＣＨ候補の構成を示す図である。
【図７】本実施形態のエンハンストコモンサーチスペースのｅＰＤＣＣＨをリソースエレメントにマッピングする方法の一例を示す図である。
【図８】本実施形態のエンハンストコモンサーチスペースのｅＰＤＣＣＨをリソースエレメントにマッピングする方法の別の例を示す図である。
【図９】本実施形態のハンドオーバの一例を示す図である。
【図１０】本実施形態のハンドオーバプロシージャの一例を説明するための図である。
【図１１】本実施形態の移動局装置１の構成を示す概略ブロック図である。
【図１２】本実施形態の基地局装置３の構成を示す概略ブロック図である。
【発明を実施するための形態】
【００３８】
以下、本発明の実施形態について説明する。
【００３９】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００４０】
本実施形態のチャネルについて説明する。
【００４１】
また、図１において、上りリンクの無線通信では、以下の信号および物理チャネルが用いられる。物理層で用いられるチャネルを物理チャネルと呼称する。
・上りリンク参照信号（Uplink Reference Signal: UL RS）
・物理上りリンク制御チャネル（Physical Uplink Control Channel: PUCCH）
・物理上りリンク共用チャネル（Physical Uplink Shared Channel: PUSCH）
・物理ランダムアクセスチャネル（Physical Random Access Channel: PRACH）
【００４２】
上りリンク参照信号は、基地局装置３が上りリンクの時間領域の同期をとるために用いられる。また、上りリンク参照信号は、基地局装置３が上りリンクの受信品質を測定するために用いられる。また、上りリンク参照信号は、基地局装置３がＰＵＳＣＨやＰＵＣＣＨの伝搬路補正を行なうために用いられる。
【００４３】
ＰＵＣＣＨは、通信の制御に用いられる情報である上りリンク制御情報（Uplink Control Information: UCI）を送信するために用いられる物理チャネルである。上りリンク制御情報は、下りリンクのチャネル状態情報（Channel State Information: CSI）、ＰＵＳＣＨの無線リソースの要求を示すスケジューリング要求（Scheduling Request: SR）、移動局装置１が受信した下りリンクデータの復号の成否を示すＡＣＫ（acknowledgement）／ＮＡＣＫ（negative-acknowledgement）を含む。
【００４４】
ＰＵＳＣＨは、上りリンクデータ（Uplink-Shared Channel: UL-SCH）、上りリンク制御情報（ＡＣＫ／ＮＡＣＫ、チャネル状態情報）を送信するために用いられる物理チャネルである。
【００４５】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、および上りリンク無線リソースの割り当ての要求に用いられる。
【００４６】
図１において、基地局装置３から移動局装置１への下りリンクの無線通信では、以下の信号および物理チャネルが用いられる。
・同期信号（Synchronization signal: SS）
・下りリンク参照信号（Downlink Reference Signal: DL RS）
・物理報知チャネル（Physical Broadcast Channel: PBCH）
・物理コントロールフォーマットインディケータチャネル（Physical Control Format Indicator Channel: PCFICH）
・物理ＨＡＲＱインディケータチャネル（Physical Hybrid automatic repeat request Indicator Channel: PHICH）
・物理下りリンク制御チャネル（Physical Downlink Control Channel: PDCCH）
・エンハンスト物理下りリンク制御チャネル（enhanced-Physical Downlink Control Channel: ePDCCH）
・物理下りリンク共用チャネル（Physical Downlink Shared Channel: PDSCH）
・物理マルチキャストチャネル（Physical Multicast Channel: PMCH）
【００４７】
同期信号は、移動局装置１が下りリンクの周波数領域および時間領域の同期をとるために用いられる。
【００４８】
下りリンク参照信号は、移動局装置１が下りリンクの周波数領域および時間領域の同期をとるために用いられてもよい。下りリンク参照信号は、移動局装置１が物理下りリンクチャネルの伝搬路補正を行なうために用いられる。下りリンク参照信号は、移動局装置１が下りリンクのチャネル状態情報を算出するために用いられる。
【００４９】
ＰＢＣＨは、移動局装置１で共通に用いられるシステム情報（マスターインフォメーションブロック、Broadcast Channel: BCH）を報知するために用いられる物理チャネルである。ＰＢＣＨは、４０ms間隔で送信される。４０ms間隔のタイミングは、移動局装置１においてブラインド検出（blind detection）される。また、ＰＢＣＨは、10ms間隔で再送信される。
【００５０】
ＰＣＦＩＣＨは、ＰＤＣＣＨの送信のために予約される領域（ＯＦＤＭシンボル）を指示する情報を送信するために用いられる物理チャネルである。
【００５１】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる物理チャネルである。例えば、基地局装置３が上りリンクデータの復号に成功した場合は、該上りリンクデータに対するＨＡＲＱインディケータにＡＣＫ（ACKnowledgement）をセットする。例えば、基地局装置３が上りリンクデータの復号に失敗した場合は、該上りリンクデータに対するＨＡＲＱインディケータにＮＡＣＫ（Negative ACKnowledgement）をセットする。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００５２】
ＰＤＣＣＨおよびｅＰＤＣＣＨは、下りリンクグラント（downlink assignment；または下りリンクアサインメント「downlink assignment」とも称する。）や上りリンクグラント（uplink grant）などの下りリンク制御情報（Downlink Control Information: DCI）を送信するために用いられる物理チャネルである。下りリンクグラントは、単一のセル内の単一のＰＤＳＣＨのスケジューリングに用いられる下りリンク制御情報である。上りリンクグラントは、単一のセル内の単一のＰＵＳＣＨのスケジューリングに用いられる下りリンク制御情報である。
【００５３】
ＰＤＳＣＨは、下りリンクデータ（Downlink Shared Channel: DL-SCH）を送信するために用いられる物理チャネルである。
【００５４】
ＰＭＣＨは、ＭＢＭＳ（Multimedia Broadcast and Multicast Service）に関する情報（Multicast Channel: MCH）を送信するために用いられる物理チャネルである。
【００５５】
ＢＣＨ、ＭＣＨ、ＵＬ−ＳＣＨおよびＤＬ−ＳＣＨなどは、トランスポートチャネルである。媒体アクセス制御（Medium Access Control: MAC）層で用いられるチャネルをトランスポートチャネルと呼称する。ＭＡＣ層で用いられるトランスポートチャネルの単位を、トランスポートブロック（transport block: TB）またはＭＡＣ  ＰＤＵ（Protocol Data Unit）とも呼称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５６】
以下、本実施形態のセル集約（キャリア集約）について説明する。
【００５７】
セル集約では、複数のサービングセル（serving cell）が集約される。例えば、セル集約処理では、３つのサービングセル（serving cell）（サービングセル１、サービングセル２、サービングセル３）が集約される。集約される複数のサービングセルのうち１つのサービングセルはプライマリーセル（Primary cell: Pcell）である。
【００５８】
プライマリーセルは、移動局装置１が初期コネクション確立（initial connection establishment）プロシージャを行なったセル、または移動局装置１がコネクション再確立（connection re-establishment）プロシージャを開始したセル、またはハンドオーバプロシージャ中にプライマリーセルとして指示されたセルである。
【００５９】
プライマリーセルを除いたサービングセルはセカンダリーセル（Secondary cell: Scell）である。セカンダリーセルは追加の無線リソースを提供するために使われる。セカンダリーセルは、主にＰＤＳＣＨ、ＰＵＳＣＨ、ＰＲＡＣＨの送受信のために使用される。セカンダリーセルは、プライマリーセルとは異なる周波数上で動作し、移動局装置１と基地局装置３のコネクションが確立した後に、基地局装置３によって追加される。また、セカンダリーセルは、ハンドオーバプロシージャ中に基地局装置３から移動局装置１へ通知される。
【００６０】
移動局装置１は、プライマリーセルのみのコモンサーチスペースにおいて、ＰＤＣＣＨおよび／またはｅＰＤＣＣＨを監視する。移動局装置１はプライマリーセルのみでＰＵＣＣＨの送信を行ない、セカンダリーセルでＰＵＣＣＨの送信を行なわない。移動局装置１はセカンダリーセルのＰＢＣＨおよびＰＤＳＣＨで送信されるページングおよびシステム情報を受信しなくてよい。
【００６１】
下りリンクにおいてサービングセルに対応するキャリアは下りリンクコンポーネントキャリア（Downlink Component Carrier: DL CC）であり、上りリンクにおいてサービングセルに対応するキャリアは上りリンクコンポーネントキャリア（Uplink Component Carrier: UL CC）である。下りリンクにおいてプライマリーセルに対応するキャリアは下りリンクプライマリーコンポーネントキャリア（Downlink Primary Component Carrier: DL PCC）であり、上りリンクにおいてプライマリーセルに対応するキャリアは上りリンクプライマリーコンポーネントキャリア（Uplink Primary Component Carrier: UL PCC）である。下りリンクにおいてセカンダリーセルに対応するキャリアは下りリンクセカンダリーコンポーネントキャリア（Downlink Secondary Component Carrier: DL SCC）であり、上りリンクにおいてセカンダリーセルに対応するキャリアは上りリンクセカンダリーコンポーネントキャリア（Uplink Secondary Component Carrier: UL SCC）である。
【００６２】
下りリンクコンポーネントキャリアには、後方互換性コンポーネントキャリア（backward compatible component carrier）と非後方互換性コンポーネントキャリア（non-backward compatible component carrier）がある。本発明において、後方互換性コンポーネントキャリアは、上述した全ての物理下りリンクチャネルが送信（配置）される下りリンクコンポーネントキャリアである。本発明において、非後方互換性コンポーネントキャリアは、ＰＣＦＩＣＨ、ＰＨＩＣＨおよびＰＤＣＣＨが送信（配置）されない下りリンクコンポーネントキャリアである。尚、単一の物理チャネルは複数のサービングセルにまたがって送信されない。
【００６３】
以下、本実施形態の無線フレームの構成について説明する。
【００６４】
図２は、本実施形態の無線フレームの概略構成を示す図である。無線フレームのそれぞれは、１０ｍｓ長である。また、無線フレームのそれぞれは２０のスロットから構成される。スロットのそれぞれは、０．５ｍｓ長であり、０から１９の番号がつけられる。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６５】
スロットのそれぞれにおいて送信される信号または物理チャネルは、リソースグリッドによって表現される。リソースグリッドは複数のサブキャリアと複数のＯＦＤＭシンボルによって定義される。１つのスロットを構成するサブキャリアの数は、セルの下りリンクの帯域幅に依存する。１つのスロットを構成するＯＦＤＭシンボルの数は７である。リソースグリッド内のエレメントのそれぞれをリソースエレメントと称する。リソースエレメントは、サブキャリアの番号とＯＦＤＭシンボルの番号とを用いて識別する。
【００６６】
リソースブロックは、ある物理下りリンクチャネル（ＰＤＳＣＨなど）のリソースエレメントのマッピングを表現するために用いられる。リソースブロックは、仮想リソースブロックと物理リソースブロックが定義される。ある物理下りリンクチャネルは、まず仮想リソースブロックにマップされる。その後、仮想リソースブロックは、物理リソースブロックにマップされる。１つの物理リソースブロックは、時間領域において７個の連続するＯＦＤＭシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００６７】
以下、本実施形態の物理下りリンクチャネルのマッピングの一例について説明する。
【００６８】
図３は、本実施形態の後方互換性コンポーネントキャリアにおける物理下りリンクチャネルのマッピングの一例を示す図である。ＰＣＦＩＣＨは、サブフレーム内の０番（最初）のＯＦＤＭシンボルにマップされる。また、ＰＣＦＩＣＨは、周波数領域において分散した４つのリソースエレメントグループにマップされる。リソースエレメントグループは、連続する複数のリソースエレメントから構成される。ＰＨＩＣＨは、サブフレーム内の０番（最初）のＯＦＤＭシンボルにマップされる。１つのＰＣＦＩＣＨは、周波数領域において分散した３つのリソースエレメントグループにマップされる。また、基地局装置３は、複数のＰＣＦＩＣＨを、同じリソースエレメント上で符号多重することができる。
【００６９】
ＰＤＣＣＨは、サブフレーム内の０番、０番と１番または０番から２番までのＯＦＤＭシンボルにマップされる。０番のＯＦＤＭシンボルにおいて、ＰＤＣＣＨはＰＣＦＩＣＨおよびＰＨＩＣＨがマップされるリソースエレメントを避けてマップされる。移動局装置１は、ＰＣＦＩＣＨで受信した情報基づいて、ＰＤＣＣＨがマップされるＯＦＤＭシンボルを認識する。また、基地局装置３は、複数のＰＤＣＣＨを、時間および周波数多重することができる。
【００７０】
ＰＤＳＣＨとｅＰＤＣＣＨとは、サブフレーム内のＰＤＣＣＨがマップされないＯＦＤＭシンボルにマップされる。基地局装置３は、複数のＰＤＳＣＨを周波数多重、時間多重および／または空間多重することができる。また、基地局装置３は、複数のｅＰＤＣＣＨを周波数多重、時間多重および／または空間多重することができる。また、基地局装置３は、ＰＤＳＣＨとｅＰＤＣＣＨを周波数多重する。
【００７１】
同期信号は、時間領域において無線フレームのそれぞれにおいて０番と５番のサブフレームで送信される。当該０番と５番のサブフレームにおいて、同期信号は第１のスロットの５番と６番のＯＦＤＭシンボルで送信される。また、同期信号は、周波数領域において、セルの下りリンクの中央の７２サブキャリアで送信される。
【００７２】
ＰＢＣＨは、時間領域において無線フレームのそれぞれにおいて０番のサブフレームで送信される。当該０番のサブフレームにおいて、ＰＢＣＨは第２のスロットの０番から３番までのＯＦＤＭシンボルで送信される。また、ＰＢＣＨは、周波数領域において、セルの下りリンクの中央の７２サブキャリアで送信される。尚、図３において、下りリンク参照信号とＰＭＣＨの説明は省略する。
【００７３】
図４は、本実施形態の非後方互換性コンポーネントキャリアにおける物理下りリンクチャネルのマッピングの一例を示す図である。基地局装置３は、非後方互換性コンポーネントキャリアには、ＰＣＦＩＣＨとＰＨＩＣＨとＰＤＣＣＨとをマップしない。ゆえに、サブフレームのそれぞれにおいてＰＤＳＣＨとｅＰＤＣＣＨは、０番のＯＦＤＭシンボルからマップすることができる。他の物理下りリンクチャネルのマッピングは、後方互換性コンポーネントキャリアと同じであるため、説明は省略する。尚、図４において、下りリンク参照信号とＰＭＣＨの説明は省略する。
【００７４】
以下、本実施形態のサーチスペースについて説明する。
【００７５】
図５は、本実施形態のサーチスペースの配置の一例を示す図である。ＰＤＣＣＨ領域には、コモンサーチスペース（Common Search Space: CSS）とユーザ装置固有サーチスペース(Use equipment specific Search Space: USS)とが構成される。コモンサーチスペースとユーザ装置固有サーチスペースとは、基地局装置３がＰＤＣＣＨの送信に用いることができるリソースのセットである。移動局装置１は、コモンサーチスペースとユーザ装置固有サーチスペースとにおいてＰＤＣＣＨをモニタする。
【００７６】
ｅＰＤＣＣＨ領域には、エンハンストコモンサーチスペース（enhanced CSS: eCSS）とエンハンストユーザ装置固有サーチスペース（enhanced USS: eUSS）とが構成される。エンハンストコモンサーチスペースとエンハンストユーザ装置固有サーチスペースとは、基地局装置３がｅＰＤＣＣＨの送信に用いることができるリソースのセットである。移動局装置１は、エンハンストコモンサーチスペースとエンハンストユーザ装置固有サーチスペースとにおいてｅＰＤＣＣＨをモニタする。
【００７７】
コモンサーチスペースとエンハンストコモンサーチスペースとは、複数の移動局装置１に対して共通のリソースによって定義される。ユーザ装置固有サーチスペースとエンハンストユーザ装置固有サーチスペースとは、移動局装置１のそれぞれに対して独立に定義される。基地局装置３は、コモンサーチスペースとエンハンストコモンサーチスペースとにおいて、複数の移動局装置１を対象とする下りリンク制御情報および／または特定の移動局装置を対象とする下りリンク制御情報を送信する。基地局装置３は、ユーザ装置固有サーチスペースとエンハンストユーザ装置固有サーチスペースとにおいて、特定の移動局装置を対象とする下りリンク制御情報を送信する。例えば、該複数の移動局装置１を対象とする下りリンク制御情報は、ランダムアクセスプロシージャに関する情報、ページング情報のスケジューリングに用いられる情報およびシステム情報のスケジューリングに用いられる情報が含まれる。システム情報は、全ての移動局装置１に対して共通である無線リソース設定情報を含む。
【００７８】
コモンサーチスペースおよびユーザ装置固有サーチスペース内のＰＤＣＣＨの送信の用いられる可能性のあるリソースの候補をＰＤＣＣＨ候補（candidate）と称する。また、ＰＤＣＣＨ候補は複数の制御チャネル要素（Control Channel Element: CCE）によって構成される。エンハンストサーチスペースおよびエンハンストユーザ装置固有サーチスペース内のｅＰＤＣＣＨの送信に用いられる可能性のある候補をｅＰＤＣＣＨ候補と称する。また、ｅＰＤＣＣＨ候補は複数のエンハンスト制御チャネル要素（enhanced Control Channel Element: eCCE）によって構成される。
【００７９】
図６は、本実施形態のＰＤＣＣＨ候補およびｅＰＤＣＣＨ候補の構成を示す図である。ＰＤＣＣＨ候補は、１つまたは連続する制御チャネル要素から構成される。ｎ個の連続する制御チャネル要素から構成されるＰＤＣＣＨ候補は、制御チャネル要素の番号（指標）をｎで割った余りが０となる番号（指標）を持つ制御チャネル要素上でのみスタートする。ｅＰＤＣＣＨ領域内のサーチスペースに対応するＰＤＣＣＨ候補は、１つまたは連続するエンハンスト制御チャネル要素から構成される。ｎ個の連続するエンハンスト制御チャネル要素から構成されるＰＤＣＣＨ候補は、エンハンスト制御チャネル要素の番号（指標）をｎで割った余りが０となる番号（指標）を持つエンハンスト制御チャネル要素上でのみスタートする。
【００８０】
図６において、アグリゲーションレベル８のｉ番のＰＤＣＣＨ候補は、（ｉ×８）から（ｉ×８＋７）までの制御チャネル要素から構成される。図６において、アグリゲーションレベル４のｉ番のＰＤＣＣＨ候補は、（ｉ×４）から（ｉ×４＋３）までの制御チャネル要素から構成される。図６において、アグリゲーションレベル２のｉ番のＰＤＣＣＨ候補は、（ｉ×２）と（ｉ×２＋１）の制御チャネル要素から構成される。図６において、アグリゲーションレベル１のｉ番のＰＤＣＣＨ候補は、ｉの制御チャネル要素から構成される。
【００８１】
図６において、アグリゲーションレベル８のｉ番のｅＰＤＣＣＨ候補は、（ｉ×８）から（ｉ×８＋７）までのエンハンスト制御チャネル要素から構成される。図６において、アグリゲーションレベル４のｉ番のｅＰＤＣＣＨ候補は、（ｉ×４）から（ｉ×４＋３）までのエンハンスト制御チャネル要素から構成される。図６において、アグリゲーションレベル２のｉ番のｅＰＤＣＣＨ候補は、（ｉ×２）と（ｉ×２＋１）のエンハンスト制御チャネル要素から構成される。図６において、アグリゲーションレベル１のｉ番のｅＰＤＣＣＨ候補は、ｉのエンハンスト制御チャネル要素から構成される。
【００８２】
ＰＤＣＣＨ候補を構成する制御チャネル要素の数またはｅＰＤＣＣＨを構成するエンハンスト制御チャネル要素の数をアグリゲーションレベル（aggregation level）と称する。アグリゲーションレベルは１、２、４または８である。アグリゲーションレベル毎にサーチスペースが定義される。コモンサーチスペースとエンハンストコモンサーチスペースのアグリゲーションレベルは４または８である。ユーザ装置固有サーチスペースとエンハンストユーザ装置固有サーチスペースのアグリゲーションレベルは１、２、４、または８である。
【００８３】
アグリゲーションレベル１のサーチスペースは、６個の連続するＰＤＣＣＨ候補またはｅＰＤＣＣＨ候補から構成される。アグリゲーションレベル２のサーチスペースは６個の連続するＰＤＣＣＨ候補またはｅＰＤＣＣＨ候補から構成される。アグリゲーションレベル４のサーチスペースは２個の連続するＰＤＣＣＨ候補またはｅＰＤＣＣＨ候補から構成される。アグリゲーションレベル８のサーチスペースは２個の連続するＰＤＣＣＨ候補またはｅＰＤＣＣＨ候補から構成される。
【００８４】
尚、エンハンストコモンサーチスペースおよびエンハンストユーザ装置固有サーチスペースを構成するＰＤＣＣＨ候補の全てが連続していなくてもよい。また、基地局装置３は、エンハンストコモンサーチスペースおよびエンハンストユーザ装置固有サーチスペースが、連続するＰＤＣＣＨ候補と連続しないＰＤＣＣＨ候補のどちらから構成されるかを、移動局装置１に設定してもよい。例えば、エンハンストコモンサーチスペースは連続するＰＤＣＣＨ候補から構成され、エンハンストユーザ装置固有サーチスペースは連続しないＰＤＣＣＨ候補から構成されてもよい。
【００８５】
以下、本実施形態のエンハンストコモンサーチスペースについて説明をする。
【００８６】
図７は、本実施形態のエンハンストコモンサーチスペースのｅＰＤＣＣＨをリソースエレメントにマッピングする方法の一例を示す図である。図７において、番号７００と番号７０１とは、基地局装置３によって４個のエンハンスト制御チャネルを用いて送信されるｅＰＤＣＣＨを示す。図７において、番号７０２とは、基地局装置３によって８個の制御チャネルを用いて送信されるｅＰＤＣＣＨを示す。図７において、太線の四角はエンハンスト制御チャネル要素を示す。図７において、太線の四角に付された番号はエンハンスト制御チャネル要素の番号を示す。
【００８７】
基地局装置３は、｛０、６，１２、１８｝の物理リソースブロックに０から１５までのエンハンスト制御チャネル要素をマップする。基地局装置３は、１つの物理リソースブロックペアに４個のエンハンスト制御チャネル要素をマップする。物理リソースブロックペアは、サブフレーム内において、第１のスロットの物理リソースブロックと第２のスロットの物理リソースブロックから構成される。また、該第１のスロットの物理リソースブロックと、該第２のスロットの物理リソースブロックは、周波数領域において、同じ番号のサブキャリアから構成される。
【００８８】
隣接する基地局装置３が、エンハンストコモンサーチスペースのｅＰＤＣＣＨの送信に同じ物理リソースブロックを用いることによって、隣接する基地局装置３のｅＰＤＣＣＨが互いに干渉するという問題がある。従って、本実施形態の基地局装置３は、ｅＰＤＣＣＨの干渉を軽減するために、エンハンストコモンサーチスペースのｅＰＤＣＣＨの送信に用いる物理リソースブロックを選択し、選択した物理リソースブロックに関する情報を移動局装置１に送信する。該選択した物理リソースブロックに関する情報を、エンハンストコモンサーチスペースのリソースに関する情報と称する。基地局装置３は、エンハンストコモンサーチスペースのリソースに関する情報を、ＰＢＣＨを用いて送信してもよい。基地局装置３は、エンハンストコモンサーチスペースのリソースに関する情報を含むハンドオーバコマンド（ハンドオーバメッセージ）を、ＰＤＳＣＨを用いて送信してもよい。
【００８９】
図８は、本実施形態のエンハンストコモンサーチスペースのｅＰＤＣＣＨをリソースエレメントにマッピングする方法の別の例を示す図である。図８において、番号７００と番号７０１とは、基地局装置３によって４個のエンハンスト制御チャネルを用いて送信されるｅＰＤＣＣＨを示す。図８において、番号７０２とは、基地局装置３によって８個の制御チャネルを用いて送信されるｅＰＤＣＣＨを示す。図８において、太線の四角はエンハンスト制御チャネル要素を示す。図８において、太線の四角に付された番号はエンハンスト制御チャネル要素の番号を示す。
【００９０】
基地局装置３は、｛２、８，１４、２０｝の物理リソースブロックに０から１５までのエンハンスト制御チャネル要素をマップする。基地局装置３は、基準の物理リソースブロックペア｛０、６，１２、１８｝から２つシフトした物理リソースブロックペア｛０＋２、６＋２，１２＋２、１８＋２｝に、０から１５までのエンハンスト制御チャネル要素をマップする。図８において、基地局装置３は、移動局装置１に、２を指示するエンハンストコモンサーチスペースのリソースに関する情報を送信する。
【００９１】
以下、本実施形態のハンドオーバプロシージャについて説明をする。
【００９２】
図９は、本実施形態のハンドオーバの一例を示す図である。図９において、移動局装置１は、ソース基地局装置３Ａからターゲット基地局装置３Ｂにハンドオーバする。ハンドオーバ前に、ソース基地局装置３Ａと移動局装置１が通信に用いるセルをソースセルと呼称する。ソースセルのうちの１つはソースプライマリーセルである。ハンドオーバ後に、ターゲット基地局装置３Ｂと移動局装置１が通信に用いるセルをターゲットセルと呼称する。ターゲットセルのうちの１つはターゲットプライマリーセルである。ソースプライマリーセルとターゲットプライマリーセルは、プライマリーセルである。ターゲットプライマリーセル以外のターゲットセルは、セカンダリーセルである。
【００９３】
図９において、斜線でハッチングした四角はエンハンストコモンサーチスペースであり、ドットでハッチングした四角は物理下りリンク制御チャネル領域である。図９において、ソースプライマリーセルに対応する下りリンクコンポーネントキャリアは後方互換性コンポーネントキャリアであり、ターゲットプライマリーセルに対応する下りリンクコンポーネントキャリアは非後方互換性コンポーネントキャリアである。また、図９において、ソースプライマリーセルのエンハンストコモンサーチスペースとターゲットプライマリーセルのエンハンストコモンサーチスペースは、異なる番号を持った物理リソースブロックから構成される。
【００９４】
移動局装置１は、ターゲット基地局装置３Ｂにハンドオーバする前に、ハンドオーバコマンドを受信する。ハンドオーバコマンドは、MobilityControlInfoを含むRRCConnectionReconfigurationメッセージを含む。RRCConnectionReconfigurationメッセージは、ＲＲＣ（Radio Resource Control）コネクションを修正するためのコマンドである。MobilityControlInfoは、ＥＵＴＲＡ内におけるネットワーク制御モビリティ（network controlled mobility）に関連するパラメータを含む。
【００９５】
例えば、MobilityControlInfoは、以下の情報（パラメータ）を含む。
・ターゲットプライマリーセルの周波数を指示する情報
・ターゲットプライマリーセルの下りリンク帯域幅を指示する情報
・ターゲットプライマリーセルの上りリンク帯域幅を指示する情報
・ターゲットプライマリーセルの物理レイヤーセル識別子（physical layer cell identity）を指示する情報
・ターゲットプライマリーセルにおける専用のランダムアクセスパラメータを指示する情報
・ターゲットプライマリーセルにおける共通の無線リソース設定（common radio resource configurations）を指示する情報
・ターゲットプライマリーセルの下りリンクコンポーネントキャリアのタイプを指示する情報（換言すると、ターゲットプライマリーセルの下りリンクコンポーネントキャリアが後方互換性コンポーネントキャリアであるか非後方互換性コンポーネントキャリアであるかを指示する情報）
・ターゲットプライマリーセルのエンハンストコモンサーチスペースのリソースに関する情報
【００９６】
ターゲットプライマリーセルのエンハンストコモンサーチスペースのリソースに関する情報は、エンハンストコモンサーチスペースを構成する物理リソースブロックを特定するために用いられる情報を含む。また、ターゲットプライマリーセルのエンハンストコモンサーチスペースのリソースに関する情報は、ターゲットプライマリーセルのサブフレーム内においてエンハンストコモンサーチスペースを構成するＯＦＤＭシンボルを特定するために用いられる情報を含む。
【００９７】
尚、エンハンストコモンサーチスペースを構成する物理リソースブロックを特定するために用いられる情報によって特定される物理リソースブロックの一部のリソースからエンハンストコモンサーチスペースが構成されてもよい。この場合、ターゲットプライマリーセルのエンハンストコモンサーチスペースのリソースに関する情報は、エンハンストコモンサーチスペースを構成するエンハンスト制御チャネル要素を特定するために用いられる制御情報を含む。
【００９８】
ターゲットプライマリーセルの下りリンクコンポーネントキャリアのタイプを指示する情報によって、ターゲットプライマリーセルの下りリンクコンポーネントキャリアが後方互換性コンポーネントキャリアであると指示される場合、ハンドオーバコマンドはターゲットプライマリーセルのエンハンストコモンサーチスペースのリソースに関する情報を含まなくてもよい。
【００９９】
移動局装置１は、ターゲットプライマリーセルの下りリンクコンポーネントキャリアのタイプを指示する情報によって、ターゲットプライマリーセルの下りリンクコンポーネントキャリアが後方互換性コンポーネントキャリアであると指示された場合、ターゲットプライマリーセルのコモンサーチスペースを用いてハンドオーバプロシージャを行なってもよい。また、移動局装置１は、ターゲットプライマリーセルの下りリンクコンポーネントキャリアのタイプを指示する情報によって、ターゲットプライマリーセルの下りリンクコンポーネントキャリアが非後方互換性コンポーネントキャリアであると指示された場合、ターゲットプライマリーセルのエンハンストコモンサーチスペースを用いてハンドオーバプロシージャを行なってもよい。
【０１００】
尚、ソースプライマリーセルの周波数とターゲットプライマリーセルの周波数が同じ場合には、MobilitiControlInfoはターゲットプライマリーセルの周波数を指示する情報を含まなくてもよい。尚、RRCConnectionReconfigurationメッセージは、セカンダリーセルをリリースすることを指示する情報を含んでもよい。尚、RRCConnectionReconfigurationメッセージは、ターゲットプライマリーセル以外のターゲットセルに関する情報を含んでもよい。
【０１０１】
尚、移動局装置１は、セカンダリーセルの一部または全部でエンハンストコモンサーチスペースをモニタしてもよい。その場合には、上記ターゲットプライマリーセル以外のターゲットセルに関する情報は、セカンダリーセルにおいてエンハンストコモンサーチスペースをモニタすることを要求するかどうかを指示する情報と、セカンダリーセルのエンハンストコモンサーチスペースのリソースに関する情報を含む。尚、セカンダリーセルにおいてエンハンストコモンサーチスペースをモニタすることを要求するかどうかを指示する情報は、セカンダリーセル毎に定義される。
【０１０２】
尚、ネットワーク（基地局装置３）は、プライマリーセルを変更せずにセカンダリーセルのみの再設定および／または追加および／または削除を行ってもよい。その場合には、基地局装置３はMobilityControlInfoを含まないRRCConnectionReconfigurationを移動局装置に送信する。移動局装置１は、MobilityControlInfoを含まないRRCConnectionReconfigurationに従って、セカンダリーセルの再設定および／または追加および／または削除を行なう。例えば、移動局装置１は、MobilityControlInfoを含まないRRCConnectionReconfigurationに従って、エンハンストコモンサーチスペースをモニタするセカンダリーセルを変更する。換言すると、移動局装置１は、MobilityControlInfoを含まないRRCConnectionReconfigurationに従って、セカンダリーセルにおけるエンハンストコモンサーチスペースのモニタを有効または無効に設定する。
【０１０３】
図１０は、本実施形態のハンドオーバプロシージャの一例を説明するための図である。ソース基地局装置３Ａは、移動局装置１がメジャメントレポーティングを行なうように設定する（１０００）。移動局装置１は、メジャメントオブジェクト（セル）の下りリンク信号を用いてメジャメントを行い、メジャメントレポートを送信する（１００２）。ネットワークは、無線の状況およびロード（load）に応じて、ハンドオーバプロシージャをトリガーする。ソース基地局装置３Ａは、１つまたは複数のターゲットセルを用意し、該１つまたは複数のターゲットセルから該ターゲットプライマリーセルを選択する（１００４）。
【０１０４】
ソース基地局装置３Ａは、ターゲット基地局装置３Ｂに、該１つまたは複数のターゲットセルと該ターゲットプライマリーセルを通知する（１００６）。ターゲット基地局装置３Ｂは、いずれのセカンダリーセルをハンドオーバ後に用いるために設定するかを決定する。該ターゲット基地局装置３Ｂによって決定されるセカンダリーセルは、ソース基地局装置３Ａから通知されたターゲットセル以外のセルを含んでもよい。
【０１０５】
ターゲット基地局装置３Ｂは、ハンドオーバを行なうために用いられるメッセージ（ハンドオーバメッセージ）を生成する（１０１０）。ターゲット基地局装置３Ｂは、ソース基地局装置３Ｂを介して、ハンドオーバメッセージ／情報を移動局装置１に通知する（１０１２）。ソース基地局装置３Ａは、ターゲット基地局装置３Ｂから受信したハンドオーバメッセージ／情報を透過的に移動局装置１へ転送する（１０１２）。
【０１０６】
移動局装置１は、ハンドオーバコマンドを受信した後に、ターゲットプライマリーセルの同期信号および／または下りリンク参照信号に基づいて、ターゲットプライマリーセルの下りリンクに同期を開始する（１０１４）。移動局装置１は、ターゲットプライマリーセルにおいて、ランダムアクセスプロシージャを行なう（１０１６）。尚、ターゲットプライマリーセルのランダムアクセスパラメータはハンドオーバコマンドに含まれる。尚、移動局装置１は、コモンサーチスペースまたはエンハンストコモンサーチスペースにおいて、ランダムアクセスプロシージャに関する制御情報を監視する。移動局装置１は、ハンドオーバの完了に成功した場合、ハンドオーバの確認のために用いられるメッセージをターゲット基地局装置３Ｂに送信する（１０１８）。
【０１０７】
尚、単一の基地局装置３が、ソースプライマリーセルとターゲットプライマリーセルの両方を管理してもよい。単一の基地局装置３が、ソース基地局装置３Ａの機能とターゲット基地局装置３Ｂの機能の両方を持ってもよい。つまり、移動局装置１は、単一の基地局装置３が管理するソースプライマリーセルから、同じ基地局装置３が管理するターゲットプライマリーセルにハンドオーバしてもよい。この場合、ソース基地局装置３Ａとターゲット基地局装置３Ｂとの間の通信は行なわれない。
【０１０８】
これにより、ｅＰＤＣＣＨの干渉を軽減することができる。また、移動局装置１が効率的にハンドオーバをすることができる。具体的には、あるセルのエンハンストコモンサーチスペースと、他のセルのエンハンストコモンサーチスペースを異なる周波数上に構成することによって、ｅＰＤＣＣＨの干渉を軽減することができる。
【０１０９】
また、ターゲットプライマリーセルにおけるエンハンストコモンサーチスペースのリソースに関する情報を含むハンドオーバコマンドを基地局装置３から受信することによって、移動局装置１はターゲットプライマリーセルにおけるエンハンストコモンサーチスペースを用いて効率的にハンドオーバを行なうことができる。
【０１１０】
また、ターゲットプライマリーセルの下りリンクコンポーネントキャリアのタイプを指示する情報を含むハンドオーバコマンドを基地局装置３から受信することによって、移動局装置１は後方互換性コンポーネントキャリアと非後方互換性コンポーネントキャリア間のハンドオーバプロシージャを効率的に行なうことができる。
【０１１１】
以下、本実施形態の装置構成について説明する。
【０１１２】
図１１は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３とサーチスペース制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１１３】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１４】
上位層処理部１０１が備える無線リソース制御部１０１１は、自装置の各種設定情報の管理を行なう。また、無線リソース制御部１０１１は、上りリンクの各チャネルに配置される情報を生成し、送信部１０７に出力する。
【０１１５】
上位層処理部１０１が備えるスケジューリング情報解釈部１０１３は、受信部１０５を介して受信した物理チャネル（ＰＵＳＣＨやＰＤＳＣＨなど）のスケジューリングに用いられる情報の解釈をし、前記情報を解釈した結果に基づき、受信部１０５、および送信部１０７の制御を行なうために制御情報を生成し、制御部１０３に出力する。
【０１１６】
上位層処理部１０１が備えるサーチスペース制御部１０１５は、受信部１０５を介して受信したターゲットプライマリーセルの下りリンクコンポーネントキャリアのタイプを指示する情報を解釈する。サーチスペース制御部１０１５は、前記情報を解釈した結果に基づき、受信部１０５におけるＰＤＣＣＨまたはｅＰＤＣＣＨのモニタの制御を行なうために制御情報を生成し、制御部１０３に出力する。
【０１１７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１１８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１１９】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１２０】
多重分離部１０５５は、抽出した信号をＰＨＩＣＨ、ＰＤＣＣＨ、ｅＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１２１】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはｅＰＤＣＣＨに対して、ＱＰＳＫ変調方式の復調を行ない、復号化部１０５１へ出力する。復号化部１０５１は、ＰＤＣＣＨおよび／またはｅＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１２２】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１２３】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１２４】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１２５】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１２６】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭを用いることにより同一のＰＵＳＣＨで送信される複数の上りリンクデータを、複数の系列にマッピングし、この系列に対してプレコーディング（precoding）を行なう。
【０１２７】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１２８】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１２９】
図１２は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と制御情報生成部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１３０】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１３１】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。
【０１３２】
上位層処理部３０１が備えるスケジューリング部３０１３は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【０１３３】
制御情報生成部３０１５は、スケジューリング部３０１３から入力されたスケジューリング結果に基づき、物理チャネル（ＰＤＳＣＨおよびＰＵＳＣＨ）のスケジューリングに用いられる情報を生成する。また、制御情報生成部３０１５は、ハンドオーバコマンドなどを生成する。また、制御情報生成部３０１５は、生成した情報を送信部３０７へ出力する。
【０１３４】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１３５】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１３６】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１３７】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１３８】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１３９】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１４０】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ｅＰＤＣＣＨ、ＰＤＳＣＨ、および下りリンク参照信号を多重して、送受信アンテナ３０９を介して移動局装置１に信号を送信する。
【０１４１】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１４２】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１４３】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１４４】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１４５】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１４６】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１４７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１４８】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１４９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５０】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  サーチスペース制御部
３０１１  無線リソース制御部
３０１３  スケジューリング部
３０１５  制御情報生成部
【図１】
2013239865.tif 000003
【図２】
2013239865.tif 000004
【図３】
2013239865.tif 000005
【図４】
2013239865.tif 000006
【図５】
2013239865.tif 000007
【図６】
2013239865.tif 000008
【図７】
2013239865.tif 000009
【図８】
2013239865.tif 000010
【図９】
2013239865.tif 000011
【図１０】
2013239865.tif 000012
【図１１】
2013239865.tif 000013
【図１２】
2013239865.tif 000014